(57)【要約】【課題】表示装置の性能を向上させる。【解決手段】表示装置ＤＳＰ１は、可撓性を備える基板１０と、基板１０に対向し、かつ、可撓性を備える基板２０と、基板１０と基板２０との間にある液晶層ＬＱと、基板１０に対して、液晶層ＬＱの反対側にある複数の偏光板ＰＬＢ１と、平面視において複数の偏光板ＰＬＢ１の間にあり、かつ可撓性を備える偏光膜ＰＬＦ１と、基板２０に対して、液晶層ＬＱの反対側にある複数の偏光板ＰＬＢ２と、平面視において複数の偏光板ＰＬＢ２の間にあり、かつ可撓性を備える偏光膜ＰＬＦ２と、を有する。表示領域ＤＡは、領域ＤＡ１と、領域ＤＡ１に隣接する複数の領域ＤＡ２と、を有する。領域ＤＡ１は、折り曲げ可能な領域である。複数の偏光板ＰＬＢ１および複数の偏光板ＰＬＢ２は、複数の領域ＤＡ２と重なる。偏光膜ＰＬＦ１および偏光膜ＰＬＦ２は、領域ＤＡ１と重なる。【選択図】図４
2020056929.tif 000002
【特許請求の範囲】
【請求項１】
可撓性を備える第１基板と、
前記第１基板に対向し、かつ、可撓性を備える第２基板と、
前記第１基板と前記第２基板との間にある液晶層と、
前記第１基板に対して、前記液晶層の反対側にある複数の第１偏光板と、
平面視において前記複数の第１偏光板の間にあり、かつ可撓性を備える第１偏光膜と、
前記第２基板に対して、前記液晶層の反対側にある複数の第２偏光板と、
平面視において前記複数の第２偏光板の間にあり、かつ可撓性を備える第２偏光膜と、
を有し、
表示領域は、第１領域と、前記第１領域に隣接した複数の第２領域と、を有し、
前記第１領域は、折り曲げ可能な領域であり、
前記複数の第１偏光板および前記複数の第２偏光板は、前記複数の第２領域と重なり、
前記第１偏光膜および前記第２偏光膜は、前記第１領域と重なる、表示装置。
【請求項２】
請求項１において、
前記第１偏光膜の厚さ、および前記第２偏光膜の厚さは、前記複数の第１偏光板および前記複数の第２偏光板のそれぞれの厚さより薄い、表示装置。
【請求項３】
請求項２において、
平面視において互いに隣り合う前記複数の第１偏光板の離間距離は、前記複数の第１偏光板のそれぞれの厚さより大きく、
平面視において互いに隣り合う前記複数の第２偏光板の離間距離は、前記複数の第２偏光板のそれぞれの厚さより大きい、表示装置。
【請求項４】
請求項１〜３のいずれか１項において、
平面視において、前記複数の第１偏光板および前記複数の第２偏光板のそれぞれの面積は、前記第１偏光膜の面積、および前記第２偏光膜の面積より大きい、表示装置。
【請求項５】
請求項１〜４のいずれか１項において、
前記複数の第１偏光板および前記複数の第２偏光板のそれぞれは、ヨウ素化合物を含有する高分子材料膜を含む第１偏光層と、前記第１偏光層を挟むように配置された保護膜と、を備える、表示装置。
【請求項６】
請求項５において、
前記第１偏光膜および前記第２偏光膜には、前記第１偏光層に含まれる前記ヨウ素化合物は含まれない、表示装置。
【請求項７】
請求項５において、
前記第１偏光膜および前記第２偏光膜のそれぞれは、二色性色素を含む膜である、表示装置。
【請求項８】
請求項１〜７のいずれか１項において、
前記第１偏光膜は、前記複数の第１偏光板に接し、かつ、前記複数の第１偏光板と前記第１基板との間には、配置されず、
前記第２偏光膜は、前記複数の第２偏光板に接し、かつ、前記複数の第２偏光板と前記第２基板との間には、配置されない、表示装置。
【請求項９】
請求項１〜７のいずれか１項において、
前記第１偏光膜は、前記複数の第１偏光板と前記第１基板との間、および隣り合う前記第１偏光板の間に亘って形成され、
前記第２偏光膜は、前記複数の第２偏光板と前記第２基板との間、および隣り合う前記第２偏光板の間に亘って形成される、表示装置。
【請求項１０】
第１面を備える電気光学層と、
前記電気光学層の前記第１面を覆う位相差板と、
前記位相差板に対して、前記電気光学層の反対側にある複数の第１偏光板と、
平面視において前記複数の第１偏光板の間にあり、かつ可撓性を備える第１偏光膜と、
を有し、
表示領域は、第１領域と、前記第１領域に隣接した複数の第２領域と、を有し、
前記第１領域は、折り曲げ可能な領域であり、
前記複数の第１偏光板は、前記複数の第２領域と重なり、
前記第１偏光膜は、前記第１領域と重なる、表示装置。
【請求項１１】
請求項１０において、
前記第１偏光膜の厚さは、前記複数の第１偏光板のそれぞれの厚さより薄い、表示装置。
【請求項１２】
請求項１１において、
平面視において互いに隣り合う前記複数の第１偏光板の離間距離は、前記複数の第１偏光板のそれぞれの厚さより大きい、表示装置。
【請求項１３】
請求項１０〜１２のいずれか１項において、
前記複数の第１偏光板のそれぞれは、ヨウ素化合物を含有する高分子材料膜を含む第１偏光層と、および前記第１偏光層を挟むように配置された保護膜と、を備える、表示装置。
【請求項１４】
請求項１０〜１２のいずれか１項において、
前記電気光学層は、有機ＥＬあるいはマイクロＬＥＤからなる発光ダイオード素子が形成された、表示装置。
【発明の詳細な説明】
【技術分野】
【０００１】
本発明は、表示装置に関し、例えば、折り曲げが可能な液晶表示装置に適用して有効な技術に関する。
【背景技術】
【０００２】
表示装置の態様として、表示領域内で折り曲げ可能ないわゆるフォルダブルやベンダブルといった表示装置が検討されている（特開２０１７−１２６０６１公報（特許文献１）参照）。
【先行技術文献】
【特許文献】
【０００３】
【特許文献１】特開２０１７−１２６０６１号公報
【特許文献２】特開２００２−２２８８３７号公報
【発明の概要】
【発明が解決しようとする課題】
【０００４】
本願発明者らが検討したところ、折り曲げ可能な表示装置のうち、偏光板などの偏光子を利用して表示を制御するタイプの表示装置に関し、以下の課題があることが判った。偏光子を利用する表示装置の場合、例えば液晶層などの電気光学層を有するパネルに偏光板を貼り付ける。ところが、偏光板が曲げ領域に配置されると、硬い偏光板により表示装置を曲げることが困難になる。また、折り曲げ領域の偏光板を除去すると、表示品質が低下する要因になる。本発明の目的は、表示装置の性能を向上させる技術を提供することにある。
【課題を解決するための手段】
【０００５】
本発明の一態様である表示装置は、可撓性を備える第１基板と、前記第１基板に対向し、かつ、可撓性を備える第２基板と、前記第１基板と前記第２基板との間にある液晶層と、前記第１基板に対して、前記液晶層の反対側にある複数の第１偏光板と、平面視において前記複数の第１偏光板の間にあり、かつ可撓性を備える第１偏光膜と、前記第２基板に対して、前記液晶層の反対側にある複数の第２偏光板と、平面視において前記複数の第２偏光板の間にあり、かつ可撓性を備える第２偏光膜と、を有する。表示領域は、第１領域と、前記第１領域に隣接した複数の第２領域と、を有する。前記第１領域は、折り曲げ可能な領域である。前記複数の第１偏光板および前記複数の第２偏光板は、前記複数の第２領域と重なる。前記第１偏光膜および前記第２偏光膜は、前記第１領域と重なる。
【０００６】
本発明の別の態様である表示装置は、第１面を備える電気光学層と、前記電気光学層の前記第１面を覆う位相差板と、前記位相差板に対して、前記電気光学層の反対側にある複数の第１偏光板と、平面視において前記複数の第１偏光板の間にあり、かつ可撓性を備える第１偏光膜と、を有する。平面視において、前記電気光学層は、第１領域と、前記第１領域に隣接した複数の第２領域と、を有する。前記第１領域は、折り曲げ可能な領域である。前記複数の第１偏光板は、前記複数の第２領域と重なる。前記第１偏光膜は、前記第１領域と重なる。
【図面の簡単な説明】
【０００７】
【図１】一実施の形態である表示装置の一例を示す斜視図である。
【図２】図１に示す表示装置を広げた時の平面図である。
【図３】図２に示す複数の画素のそれぞれが備える回路の構成例を示す回路ブロック図である。
【図４】図２のＡ−Ａ線に沿った断面図である。
【図５】図２の表示領域の一部分の拡大断面図である。
【図６】図４に示す偏光板の構造例を示す拡大断面図である。
【図７】図４に示す偏光板と偏光膜との平面的な位置関係を示す平面図である。
【図８】図４に示す表示装置の変形例である表示装置の拡大断面図である。
【図９】図４および図８に示す光源の構成例を示す断面図である。
【図１０】図９に対する変形例である光源の構成例を示す断面図である。
【図１１】図４に対する他の変形例である表示装置の構成例を示す拡大断面図である。
【図１２】図４に対する更に他の変形例である表示装置の構成例を示す拡大断面図である。
【発明を実施するための形態】
【０００８】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一または関連する符号を付して、詳細な説明を適宜省略することがある。
【０００９】
（実施の形態１）
＜表示装置の構成＞
まず、表示装置の構成について説明する。図１は、本実施の形態の表示装置の一例を示す斜視図である。図２は、図１に示す表示装置を広げた時の平面図である。図１では、図２に示す周辺領域ＰＦＲは図示を省略している。図２では、平面視における表示領域ＤＡと周辺領域ＰＦＲの境界を二点鎖線で示している。また、図２では、表示装置ＤＳＰ１が備える回路の回路ブロックや配線の一部を実線で模式的に示している。また、図２では、領域ＤＡ１と領域ＤＡ２との境界を点線で示している。図３は、図２に示す複数の画素のそれぞれが備える回路の構成例を示す回路ブロック図である。図４は、図２のＡ−Ａ線に沿った断面図である。図４は断面図であるが、見易さのため、基板１０、基板２０、および光源ＬＳのハッチングが省略されている。図４に示す基板１０と基板２０との間には、液晶層ＬＱの他、図５に示す複数の部材が形成されている。図４ではこれらの部材の図示は省略している。図５は、図２の表示領域の一部分の拡大断面図である。
【００１０】
図１に示すように、本実施の形態の表示装置ＤＳＰ１は、外部から供給される入力信号に応じて画像が形成される表示領域ＤＡを有する。表示領域ＤＡは、観者が視認する画像を表示する有効領域である。
【００１１】
表示領域ＤＡのうち、領域ＤＡ１は、折り曲げ可能な領域である。言い換えれば、表示装置ＤＳＰ１は、使用中または携帯中に折り曲げられることが想定された構造になっている。表示領域ＤＡのうち、領域ＤＡ２は、折り曲げることが想定されていない（言い換えれば折り曲げ可能ではない）領域である。上記した折り曲げることが想定された構造とは、単に物理的に折り曲げ可能な構造になっていることに加え、表示領域ＤＡを折り曲げることによる課題に対する対策が施されていることを指す。したがって、例えば、領域ＤＡ１が、物理的に折り曲げ可能な構造になっている場合もある。表示領域ＤＡの一部を折り曲げることによる課題の詳細は後述する。
【００１２】
表示装置ＤＳＰ１の表示領域ＤＡは、領域ＤＡ１と、領域ＤＡ１の両隣にある複数（図１では２個）の領域ＤＡ２と、を有する。表示装置ＤＳＰ１の場合、表示領域ＤＡを折り畳むことで携帯時のサイズを低減できる。また、表示装置ＤＳＰ１は、図２に示すように折り畳まれた表示領域ＤＡを広げることで、大画面で映像を視認することができる。
【００１３】
また、表示装置ＤＳＰ１は、平面視において、表示領域ＤＡの周囲にある周辺領域ＰＦＲを有する。周辺領域ＰＦＲには、表示領域ＤＡの周囲を囲むシール材ＢＮＤがある。また周辺領域ＰＦＲには、表示領域ＤＡ内に配列される複数のトランジスタに接続される複数の配線がある。
【００１４】
表示領域ＤＡには、複数の画素ＰＸが配列されている。複数の画素ＰＸは、Ｘ方向およびＸ方向に交差するＹ方向に沿って、行列状に配列されている。複数の画素ＰＸのそれぞれは、画素選択スイッチとして機能するトランジスタＴｒ１（図３参照）と、トランジスタＴｒ１に接続される画素電極ＰＥ（図３参照）と、を有する。また、表示領域ＤＡには、Ｘ方向に沿って延びる複数の走査線（ゲート線）ＧＬ、およびＹ方向に沿って延びる複数の映像信号線（ソース線）ＳＬがある。図２に示す例では、複数の走査線ＧＬは、Ｙ方向に配列され、複数の映像信号線ＳＬはＸ方向に配列される。また、表示領域ＤＡには、共通電極ＣＥがある。共通電極ＣＥは、画素ＰＸのそれぞれに印加される共通の電位を供給する電極であって、例えば、複数の画素ＰＸに重畳している。
【００１５】
複数の映像信号線ＳＬの各々は、図３に示すように、トランジスタＴｒ１を介して画素電極ＰＥに接続される。詳しくは、映像信号線ＳＬは、トランジスタＴｒ１のソース電極ＳＥに接続され、画素電極ＰＥは、トランジスタＴｒ１のドレイン電極ＤＥに接続される。トランジスタＴｒ１がオンになっている時、画素電極ＰＥには、映像信号線ＳＬから映像信号Ｓｐｉｃが供給される。映像信号Ｓｐｉｃは、信号線駆動回路ＳＤから供給される。表示領域ＤＡ内の映像信号線ＳＬは、接続配線（引き出し配線とも呼ぶ）を介して信号線駆動回路ＳＤと電気的に接続される。信号線駆動回路ＳＤは、映像信号線ＳＬを介して複数の画素ＰＸのそれぞれが備える画素電極ＰＥに映像信号Ｓｐｉｃを供給する。信号線駆動回路ＳＤは、図２に示す表示領域ＤＡの外側（例えば周辺領域ＰＦＲ、あるいは周辺領域ＰＦＲにおいて基板１０に接続される配線基板や半導体部品）に配置される。
【００１６】
複数の走査線ＧＬの各々は、図３に示すように、トランジスタＴｒ１を駆動する。詳しくは、走査線ＧＬの一部分は、トランジスタＴｒ１のゲート電極ＧＥを構成する。複数の走査線ＧＬのそれぞれは、表示領域ＤＡの外側の周辺領域ＰＦＲに引き出され、図３に示す走査線駆動回路（ゲート駆動回路）ＧＤに接続される。走査線駆動回路ＧＤは、複数の走査線ＧＬに入力される走査信号Ｇｓｉを出力する走査信号出力回路である。走査線駆動回路ＧＤは、図２に示す周辺領域ＰＦＲに配置される。トランジスタＴｒ１は、画素ＰＸを選択する選択スイッチとして機能する、薄膜トランジスタ（Thin Film Transistor：ＴＦＴ）である。また、走査線ＧＬは、トランジスタＴｒ１のゲート電極ＧＥを含んでいる。
【００１７】
図４において、表示装置ＤＳＰ１は、基板１０を備える。また、表示装置ＤＳＰ１は、液晶層ＬＱを介して基板１０と対向する基板２０を備える。基板１０は、液晶層ＬＱと対向する前面（主面、表面）１０ｆ、および前面１０ｆの反対側の背面（主面、裏面）１０ｂを有する。また、基板２０は、液晶層ＬＱと対向する背面（主面、裏面）２０ｂ、および背面２０ｂの反対側の前面（主面、表面）２０ｆを有する。基板１０、基板２０、および液晶層ＬＱを含む構造体は、領域（第１領域）ＤＡ１および領域ＤＡ１に隣接した複数の領域（第２領域）ＤＡ２を有する。領域ＤＡ２は、領域ＤＡ１の両隣にある。
【００１８】
基板１０および基板２０のそれぞれは、領域ＤＡ１において、折り曲げ可能である。このため、基板１０および基板２０のそれぞれは、少なくとも領域ＤＡ１では可撓性を有する。本実施の形態の場合、基板１０および基板２０は、領域ＤＡ１、および複数の領域ＤＡ２において可撓性を有する。基板１０および基板２０に可撓性を付与するため、基板１０および基板２０は、例えば、ポリイミドやポリアミド、ポリカルボナート、あるいは、ポリエステルなどのポリマーを含む樹脂材料（有機材料）から成る。
【００１９】
また、表示装置ＤＳＰ１は、基板１０に対して、液晶層ＬＱの反対側（言い換えれば背面１０ｂ側）にある複数の偏光板（第１偏光板）ＰＬＢ１と、平面視において複数の偏光板ＰＬＢ１の間にあり、かつ可撓性を備える偏光膜（第１偏光膜）ＰＬＦ１と、を有する。また、表示装置ＤＳＰ１は、基板２０に対して、液晶層ＬＱの反対側（言い換えれば前面２０ｆ側）にある複数の偏光板（第２偏光板）ＰＬＢ２と、平面視において複数の偏光板ＰＬＢ２の間にあり、かつ可撓性を備える偏光膜（第２偏光膜）ＰＬＦ２と、を有する。偏光板ＰＬＢ１、ＰＬＢ２および偏光膜ＰＬＦ１、ＰＬＦ２のそれぞれは、光源ＬＳから照射された光を偏光する偏光子（偏光部材）である。これらの偏光子の詳細は後述する。
【００２０】
図３に示す画素ＰＸを構成するトランジスタＴｒ１を含む回路部品は、図５に示すように基板１０上に形成されている。表示装置ＤＳＰ１は、表示領域ＤＡにおいて、基板１０の前面１０ｆ上にある絶縁膜１１を有する。絶縁膜１１は、ＴＦＴを含む各種回路の下地層であって、例えば、窒化珪素（ＳｉＮ）や酸化珪素（ＳｉＯ）などの無機絶縁材料からなる。
【００２１】
また、下地層である絶縁膜１１上には、ＴＦＴであるトランジスタＴｒ１が形成されている。図５では、１個のトランジスタＴｒ１を例示的に示している。トランジスタＴｒ１は薄膜トランジスタ（Thin Film Transistor：ＴＦＴ）である。トランジスタＴｒ１は、チャネル領域、ソース領域、およびドレイン領域を構成する半導体領域（半導体層）ＳＣＲを備える。半導体領域ＳＣＲは、例えばポリシリコンから成り、絶縁膜１１上に形成されている。半導体領域ＳＣＲのうち、ソース領域およびドレイン領域には、トランジスタＴｒ１のソース電極ＳＥまたはドレイン電極ＤＥに接続される導体パターンＣＤＰが形成されている。導体パターンＣＤＰは、例えばスパッタ法により形成される。
【００２２】
半導体領域ＳＣＲは、ゲート絶縁膜である絶縁膜１２に覆われる。絶縁膜１２は、例えば酸化珪素から成り、一例として、化学蒸着（chemical vapor deposition：ＣＶＤ）により半導体領域ＳＣＲおよび導体パターンＣＤＰ上に堆積される。また、絶縁膜１２上には、ゲート電極ＧＥが形成されている。ゲート電極ＧＥは、半導体領域ＳＣＲのチャネル領域と重畳する位置に形成されている。言い換えれば、半導体領域ＳＣＲのチャネル領域とは、ゲート絶縁膜である絶縁膜１２を介して互いに対向する。ゲート電極ＧＥはスパッタ法等で形成した金属膜をパターニングすることにより形成される。また、図示は省略したが、ゲート電極ＧＥと同層には、図２に示す複数の走査線ＧＬが形成される。
【００２３】
ゲート電極ＧＥおよび絶縁膜１２は、絶縁膜１３に覆われる。絶縁膜１３は例えば、窒化珪素、酸化珪素、あるいはこれらの積層膜から成る。絶縁膜１３は例えばＣＶＤ法により形成される。絶縁膜１３上には、金属膜であるソース電極ＳＥおよびドレイン電極ＤＥがある。絶縁膜１２および絶縁膜１３には、絶縁膜１２、１３を厚さ方向に貫通するコンタクトホールが形成され、ソース電極ＳＥはコンタクトホールを介してソース領域上の導体パターンＣＤＰに接続されている。また、ドレイン電極ＤＥはコンタクトホールを介してドレイン領域上の導体パターンＣＤＰに接続されている。ソース電極ＳＥおよびドレイン電極ＤＥは、例えばスパッタ法により形成される。また、ソース電極ＳＥおよびドレイン電極と同層には、図２に示す複数の映像信号線ＳＬが形成される。
【００２４】
ソース電極ＳＥ、ドレイン電極ＤＥ、および絶縁膜１３は、絶縁膜１４に覆われる。絶縁膜１４は例えば、窒化珪素、酸化珪素、あるいはこれらの積層膜から成る。絶縁膜１４は例えばＣＶＤ法により形成される。
【００２５】
また、絶縁膜１４上には、有機膜（平坦化膜、有機絶縁膜）１５が形成されている。有機膜１５は、例えばアクリル樹脂等の有機材料から成る。有機膜１５の厚さは、他の絶縁膜１１、１２、１３、および１４のそれぞれの厚さより厚い。また、有機膜１５は、トランジスタＴｒ１を覆っている。
【００２６】
有機膜１５上には、共通電極ＣＥが形成される。表示装置ＤＳＰ１が画像を表示する表示期間において、共通電極ＣＥには、複数の画素ＰＸ（図２参照）に対応する共通の駆動電位が供給される。共通の駆動電位は、図３に示す共通電極駆動回路ＣＤから供給される。共通電極ＣＥは、表示領域ＤＡの全体に配置される。共通電極ＣＥは、ＩＴＯ（Indium tin oxide）またはＩＺＯ（Indium Zinc Oxide）などの透明導電材料から成る。共通電極ＣＥは、絶縁膜１６に覆われる。絶縁膜１６は例えば、窒化珪素、酸化珪素、あるいはこれらの積層膜から成る。絶縁膜１６は例えばＣＶＤ法により形成される。
【００２７】
図５に示す例では、画素電極ＰＥは絶縁膜１６上に形成される。図５に示す例では、共通電極ＣＥと画素電極ＰＥとは互いに異なる層に形成されている。ただし変形例としては、複数の共通電極ＣＥと複数の画素電極ＰＥとが同一面（例えば有機膜１５上）に形成され、互いに隣り合うように交互に配列されていても良い。画素電極ＰＥは、例えば、ＩＴＯまたはＩＺＯなどの透明な導電材料または金属材料が好ましい。画素電極ＰＥは、絶縁膜１６および有機膜１５を貫通するように形成されたコンタクトホールを介してドレイン電極ＤＥに接続される。
【００２８】
表示期間において、画素電極ＰＥおよび共通電極ＣＥに、互いに異なる電位が供給されると、画素電極ＰＥと共通電極ＣＥとを結ぶ電気力線が発生する。液晶層ＬＱにある液晶分子は、このときに生じる電界により回転する。
【００２９】
また、複数の画素電極ＰＥのそれぞれは、配向膜ＡＬ１に覆われる。配向膜ＡＬ１は液晶層ＬＱに含まれる液晶分子の初期配向を揃える機能を備える絶縁膜であって、例えばポリイミド樹脂から成る。配向膜ＡＬ１は、基板１０と液晶層ＬＱとの間にあり、かつ液晶層に接する。また、配向膜ＡＬ１は、液晶層ＬＱに接する。配向膜ＡＬ１の詳細は後述する。
【００３０】
また、表示装置ＤＳＰ１は、基板２０の背面（主面、面）２０ｂと液晶層ＬＱとの間に、遮光膜ＢＭと、カラーフィルタＣＦと、絶縁膜ＯＣ１と、配向膜ＡＬ２と、を有する。
【００３１】
カラーフィルタＣＦは、基板２０の背面２０ｂ側に形成される。カラーフィルタＣＦは、赤（Ｒ）、緑（Ｇ）、青（Ｂ）の３色のカラーフィルタＣＦが周期的に配列される。また、各色のカラーフィルタＣＦの境界には、遮光膜ＢＭが配置される。遮光膜ＢＭはブラックマトリクスと呼ばれ、例えば黒色の樹脂や、低反射性の金属から成る。遮光膜ＢＭは、平面視において、例えば格子状に形成される。
【００３２】
また、図５に示す絶縁膜ＯＣ１は、カラーフィルタＣＦを覆っている。絶縁膜ＯＣ１は、カラーフィルタから液晶層に対して不純物が拡散するのを防止する保護膜として機能する。絶縁膜ＯＣ１は、例えばアクリル系の感光性樹脂等から成る、有機絶縁膜である。また、絶縁膜ＯＣ１上には、配向膜ＡＬ２が配置される。配向膜ＡＬ２は、基板２０と液晶層ＬＱとの間にあり、かつ、液晶層ＬＱに接する。配向膜ＡＬ１および配向膜ＡＬ２のそれぞれは、偏光紫外線を照射することにより配向処理される、光配向膜である。
【００３３】
なお、図４や図５では、図示を省略しているが、基板１０と基板２０と間には、互いに対向する基板間のギャップ（言い換えれば、液晶層ＬＱの厚さ）を制御するスペーサ部材が配置されている。スペーサ部材は、基板１０および基板２０のうち、少なくとも一方に設けられた部材である。例えば、基板２０の一部分が基板１０側に押し込まれた時に、スペーサ部材があれば、基板間のギャップが小さくなりすぎないように支えることができる。また、本実施の形態のように、表示領域ＤＡが折り曲げられる領域ＤＡ１を有している場合、領域ＤＡ１では、折り曲げられることにより、基板間のギャップが変化しやすくなる。
【００３４】
そこで、領域ＤＡ１では、スペーサ部材を介して基板１０と基板２０とが接着されていることが好ましい。例えば、領域ＤＡ１には、ポリマー性の柱または壁が配置され、この柱または壁を介して基板１０と基板２０とが接着されている。あるいは、一方の基板に形成されたスペーサ部材の頂部に接着剤が配置され、この接着剤を介してスペーサ部材が他方の基板に接着されている構成の場合もある。
【００３５】
＜偏光子＞
次に、図４に示す偏光子（偏光部材）の詳細な構造について説明する。図６は、図４に示す偏光板の構造例を示す拡大断面図である。また、図７は、図４に示す偏光板と偏光膜との平面的な位置関係を示す平面図である。液晶表示装置の場合、液晶層ＬＱを介して互いに対向するように、２枚の偏光子が配置される。偏光子は、特定の振動方向の光を通過させて、他の振動方向の光を遮光する光学フィルタである。液晶層ＬＱに含まれる液晶分子は、その配向状態により光の信号方向を変化させる特性を備えるので、２枚の偏光子の間に液晶層ＬＱが配置される場合、液晶層ＬＱ内の液晶分子の配向を制御することにより、光の透過率を制御することができる。
【００３６】
表示品質を向上させるためには、偏光度が高い偏光子を用いることが好ましい。偏光度とは、偏光軸と交差する方向に振動する光、言い換えれば、偏光子により遮光されるべき光の遮光率である。表示装置に用いる偏光子として、偏光度が高いものを用いれば、怒りのノイズが低下して、表示品質を向上させることができる。偏光度が高い偏光子として、ヨウ素系偏光子が挙げられる。ヨウ素系偏光子は、ヨウ素化合物を含有するポリビニルアルコールフィルムなどの高分子材料膜を含む偏光子である。本実施の形態の場合、図４に示す偏光板ＰＬＢ１およびＰＬＢ２のそれぞれは、図６に示すように、ヨウ素系偏光子である偏光層（偏光子）ＰＬ１を含んでいる。
【００３７】
ヨウ素系偏光子である偏光層ＰＬ１は、偏光度が高いが、機械的強度、耐湿性などの観点から、偏光層ＰＬ１単体で、図４に示す基板１０や基板２０に貼りつけて使用することは難しい。このため、図４に示す複数の偏光板ＰＬＢ１および複数の偏光板ＰＬＢ２のそれぞれは、図６に示すように、ヨウ素化合物が高分子材料膜であるポリビニルアルコールフィルムに含有された偏光層ＰＬ１と、偏光層ＰＬ１を挟むように配置された保護膜ＰＲＦと、を備える。
【００３８】
また、偏光板ＰＬＢ１およびＰＬＢ２のそれぞれは、保護膜ＰＲＦの間に偏光層ＰＬ１が挟まれた積層膜であり、基板１０や基板２０上に直接、形成することが難しい。このため、偏光層ＰＬ１を挟む二枚の保護膜ＰＲＦのうちのいずれか一方には、粘着層ＡＨＬが形成され、粘着層ＡＨＬを介して偏光板ＰＬＢ１は基板１０に、偏光板ＰＬＢ２は基板２０に、それぞれ貼り付けられる。
【００３９】
偏光層ＰＬ１に接着される保護膜ＰＲＦは、例えば、トリアセチルセルロースなどの合成樹脂材料から成る。保護膜ＰＲＦに偏光層ＰＬ１の機械的強度を補強する機能を付与するため、保護膜ＰＲＦは硬く形成される。また、積層膜である偏光板ＰＬＢ１およびＰＬＢ２のそれぞれの厚さは厚い。例えば図６に示す例では、偏光板ＰＬＢ１またはＰＬＢ２の厚さ（二枚の保護膜ＰＲＦと、偏光層ＰＬ１と、粘着層ＡＨＬとの厚さの合計値）は、例えば６０〜１４０μｍ程度である。このように、偏光層ＰＬ１を硬い保護膜ＰＲＦで挟んだ積層構造とすることで、偏光層ＰＬ１の偏光特性が、変形による損傷、あるいは吸湿等に起因して低下することを抑制できる。
【００４０】
ところが、偏光板ＰＬＢ１およびＰＬＢ２のそれぞれは、折り曲げることが想定された領域ＤＡ１（図１参照）に配置することは難しい。例えば、偏光板ＰＬＢ１およびＰＬＢ２を構成する保護膜ＰＲＦは、硬く、厚さも厚いので、折り曲げることに適していない。また、仮に保護膜ＰＲＦを折り曲げることができたとしても、保護膜ＰＲＦの間に配置される偏光層ＰＬ１が変形あるいは吸湿により損傷する可能性がある。したがって、曲げ領域である領域ＤＡ１に偏光層ＰＬ１を含む偏光板ＰＬＢ１、ＰＬＢ２を配置することは難しい。
【００４１】
そこで、曲げ領域である領域ＤＡ１には、偏光子を配置せず、基板１０および基板２０が露出した状態にする方法が考えられる。しかし、この場合、領域ＤＡ１では偏光されない光が通過するので、表示品質が低下する原因になる。例えば、図２に示す表示領域ＤＡのうち、領域ＤＡ１には、光源ＬＳ（図４参照）から照射された光が偏光されずに透過するので、白い線として視認される。また、領域ＤＡ１に図示しない遮光膜を配置した場合には、領域ＤＡ１が、常に黒い線として視認される。領域ＤＡ１の幅が視認できない程度の幅であれば良いが、表示装置ＤＳＰ１（図１参照）を折り畳む場合には、領域ＤＡ１の幅をある程度大きくする必要がある。
【００４２】
上記の検討の結果、本実施の形態の表示装置ＤＳＰ１は、以下の構造になっている。すなわち、図４に示すように、表示装置ＤＳＰ１が備える複数の偏光板ＰＬＢ１および複数の偏光板ＰＬＢ２は、複数の領域ＤＡ２と重なり、可撓性を備える偏光膜ＰＬＦ１および偏光膜ＰＬＦ２は、領域ＤＡ１と重なる。言い換えれば、領域ＤＡ１には、偏光膜ＰＬＦ１およびＰＬＦ２配置され、かつ、偏光板ＰＬＢ１およびＰＬＢ２は配置されない。この構造により、表示装置ＤＳＰ１は、折り曲げ可能な表示装置であり、かつ、領域ＤＡ１における表示品質の低下を抑制できる。
【００４３】
詳しくは、偏光膜ＰＬＦ１およびＰＬＦ２のそれぞれは、原料液を領域ＤＡ１に塗布することにより得られる塗布型偏光子である。塗布型偏光子は、基板１０上あるいは基板２０上に直接的に形成することができる。塗布型偏光子は、図６に示す偏光板ＰＬＢ１やＰＬＢ２のように、保護膜ＰＦや粘着層ＡＨＬを必要としない。このため、塗布型偏光子の場合、偏光板ＰＬＢ１、ＰＬＢ２と比較して、膜厚を薄くすることができる。図４に示すように、偏光膜ＰＬＦ１の厚さＴＦ１、および偏光膜ＰＬＦ２の厚さＴＦ２は、偏光板ＰＬＢ１の厚さＴＢ１および偏光板ＰＬＢ２の厚さＴＢ２より薄い。図４に示す例では、ＰＬＢ１の厚さＴＢ１および偏光板ＰＬＢ２の厚さＴＢ２のそれぞれの厚さは、例えば８０〜１００μｍ程度である。一方、偏光膜ＰＬＦ１の厚さＴＦ１、および偏光膜ＰＬＦ２の厚さＴＦ２は、１０μｍ以下（数μｍ程度）である。
【００４４】
偏光膜ＰＬＦ１および偏光膜ＰＬＦ２は、偏光板ＰＬＢ１および偏光板ＰＬＢ２より薄い膜なので、曲がり易い。このため、偏光膜ＰＬＦ１および偏光膜ＰＬＦ２であれば、折り曲げ可能な領域である領域ＤＡ１に、配置することができる。また、単に偏光度を比較すると、偏光膜ＰＬＦ１および偏光膜ＰＬＦ２の偏光度は、偏光板ＰＬＢ１および偏光板ＰＬＢ２の偏光度より低い。このため、図４に示す領域ＤＡ１の表示品質は、領域ＤＡ２の表示品質よりは低い。ただし、領域ＤＡ１は、偏光膜ＰＬＦ１および偏光膜ＰＬＦ２の間に液晶層ＬＱが挟まれた状態になっているので、領域ＤＡ１が白い線、あるいは黒い線として視認されることを防止できる。すなわち、領域ＤＡ１を含む表示領域ＤＡ（図２参照）の表示品質を向上させることができる。
【００４５】
塗布型の偏光子である偏光膜ＰＬＦ１および偏光膜ＰＬＦ２の一例として、二色性色素を含む偏光子が例示できる。二色性色素とは、偏光板ＰＬＢ１およびＰＬＢ２に含まれるヨウ素と同様に、溶質中に配向された状態で分布することにより、光を偏光する特性を備えた有機色素である。ヨウ素も二色性物質ではあるが、二色性色素には含まれない。偏光膜ＰＬＦ１および偏光膜ＰＬＦ２には、偏光板ＰＬＢ１および偏光板ＰＬＢ２に含まれるヨウ素化合物は含まれない。偏光子を構成する二色性物質として、ヨウ素に代えて有機色素を用いた場合、偏光子の機械的強度や耐湿性を向上させることができる。したがって、折り曲げ領域である領域ＤＡ１には、二色性物質を含む偏光膜ＰＬＦ１および偏光膜ＰＬＦ２が配置され、かつ、ヨウ素化合物を含む偏光板ＰＬＢ１および偏光板ＰＬＢ２は配置されていないことが好ましい。
【００４６】
ただし、上記したように、二色性色素を含む偏光子の偏光度は、ヨウ素化合物を含む偏光子と比較して偏光度が低い。したがって、折り曲げ可能ではない領域ＤＡ２には、偏光膜ＰＬＦ１および偏光膜ＰＬＦ２より偏光度が高い偏光板ＰＬＢ１および偏光板ＰＬＢ２が配置されていることが好ましい。本実施の形態の場合、偏光膜ＰＬＦ１は、複数の偏光板ＰＬＢ１に接し、かつ、複数の偏光板ＰＬＢ１と基板１０との間には、配置されない。また。偏光膜ＰＬＦ２は、複数の偏光板ＰＬＢ２に接し、かつ、複数の偏光板ＰＬＢ２と基板２０との間には、配置されない。なお、後述するように、本実施の形態に対する変形例としては、領域ＤＡ２に、偏光板ＰＬＢ１および偏光板ＰＬＢ２に加え、偏光膜ＰＬＦ１および偏光膜ＰＬＦ２が配置されていても良い。
【００４７】
領域ＤＡ１に塗布型の偏光膜ＰＬＦ１を形成する場合、例えば、基板１０の複数の領域ＤＡ２のそれぞれに偏光板ＰＬＢ１を貼りつけた後、隣り合う偏光板ＰＬＢ１の間に偏光膜ＰＬＦ１の原料液を塗布する方法がある。また、基板１０の領域ＤＡ２および領域ＤＡ１を覆うように、一枚の偏光板ＰＬＢ１を貼りつけた後、領域ＤＡ１にある偏光板ＰＬＢ１を、除去しても良い。領域ＤＡ１の偏光板ＰＬＢ１の除去方法は、例えばレーザ照射による除去方法を例示できる。図４に示すように、偏光膜ＰＬＦ１が偏光板ＰＬＢ１と基板１０との間に配置されない構造の場合、偏光膜ＰＬＦ１を形成する前に、偏光板ＰＬＢ１を基板１０に貼りつけておくことが好ましい。なお、領域ＤＡ１に塗布型の偏光膜ＰＬＦ２を形成する方法は、偏光膜ＰＬＦ１を形成する方法と同様なので、重複する説明は省略する。
【００４８】
また、上記したように、偏光板ＰＬＢ１および偏光板ＰＬＢ２の厚さが厚いので、領域ＤＡ１での折り曲げやすさを考慮すると、図７に示す領域ＤＡ１の幅、言い換えれば、隣り合う偏光板ＰＬＢ１の離間距離Ｗ１、および隣り合う偏光板ＰＬＢ２の離間距離Ｗ２は長い方が良い。図７に示す例では、平面視において互いに隣り合う複数の偏光板ＰＬＢ１の離間距離Ｗ１は、図４に示す複数の偏光板ＰＬＢ１のそれぞれの厚さＴＢ１より大きい。また、平面視において互いに隣り合う複数の偏光板ＰＬＢ２の離間距離Ｗ２は、図４に示す複数の偏光板ＰＬＢ２のそれぞれの厚さＴＢ２より大きい。この場合、領域ＤＡ１で表示装置ＤＳＰ１を折り曲げた時に、隣り合う偏光板ＰＬＢ１同士、または隣り合う偏光板ＰＬＢ２同士が接触して折り曲げを阻害することを抑制できる。
【００４９】
このように、領域ＤＡ１の幅を大きくすることで、表示装置ＤＳＰ１を折り曲げやすくすることができるが、領域ＤＡ１の幅が大きくなると、領域ＤＡ１の面積も増大する。この結果、領域ＤＡ１の表示品質が重要になる。表示装置ＤＳＰ１の場合、上記したように、領域ＤＡ１には、偏光膜ＰＬＦ１および偏光膜ＰＬＦ２が配置されているので、領域ＤＡ１の表示品質の低下を抑制できる。
【００５０】
ただし、領域ＤＡ１と領域ＤＡ２とを比較すると、領域ＤＡ２の方が表示品質が高いので、表示領域ＤＡ全体の表示品質を考慮すると、領域ＤＡ１の面積は出来る限り小さいことが好ましい。本実施の形態の場合、平面視において、複数の偏光板ＰＬＢ１および複数の偏光板ＰＬＢ２のそれぞれの面積は、偏光膜ＰＬＦ１の面積、および偏光膜ＰＬＦ２の面積より大きい。
【００５１】
＜変形例１＞
次に、上記した表示装置ＤＳＰ１に対する種々の変形例について、順に説明する。図８は、図４に示す表示装置の変形例である表示装置の拡大断面図である。
【００５２】
図８に示す表示装置ＤＳＰ２は、偏光膜ＰＬＦ１およびＰＬＦ２が、基板１０または基板２０の全体に広がっている点で、図４に示す表示装置ＤＳＰ１と相違する。詳しくは、表示装置ＤＳＰ２が備える偏光膜ＰＬＦ１は、複数の偏光板ＰＬＢ１と基板１０との間、および隣り合う偏光板ＰＬＢ１の間に亘って形成されている。また、偏光膜ＰＬＦ２は、複数の偏光板ＰＬＢ２と基板２０との間、および隣り合う偏光板ＰＬＢ２の間に亘って形成されている。
【００５３】
表示装置ＤＳＰ２の場合、領域ＤＡ２において、偏光膜ＰＬＦ１、ＰＬＦ２と、偏光板ＰＬＢ１、ＰＬＢ２とが重なっている。偏光度の異なる二層の偏光子が積層されている場合、積層された偏光子のそれぞれにおいて、光が偏光される。このため、表示装置ＤＳＰ２の場合、領域ＤＡにおける表示面のコントラストが図４に示す表示装置ＤＳＰ１よりも大きくなる。
【００５４】
ただし、領域ＤＡ２における偏光層全体の厚さ（例えば偏光板ＰＬＢ１の厚さと偏光膜ＰＬＦ１の厚さの合計）は、表示装置ＤＳＰ１よりも厚くなる。したがって、領域ＤＡ２における偏光層の厚さを薄くして領域ＤＡの面積を小さくする観点からは、図４に示す表示装置ＤＳＰ１の方が好ましい。
【００５５】
表示装置ＤＳＰ２のように、偏光膜ＰＬＦ１が偏光板ＰＬＢ１と基板１０との間に配置される構造の場合、偏光膜ＰＬＦ１は、偏光板ＰＬＢ１を基板１０に貼りつける前に形成される。同様に、偏光膜ＰＬＦ２が偏光板ＰＬＢ２と基板２０との間に配置される構造の場合、偏光膜ＰＬＦ２は、偏光板ＰＬＢ２を基板２０に貼りつける前に形成される。
【００５６】
＜変形例２＞
次に、図４および図８に示す光源ＬＳの構成例について説明する。図９は、図４および図８に示す光源の構成例を示す断面図である。図１０は、図９に対する変形例である光源の構成例を示す断面図である。
【００５７】
図４に示す表示装置ＤＳＰ１や図８に示す表示装置ＤＳＰ２のように、折り曲げ可能な領域ＤＡ１を含む場合、光源ＬＳも折り曲げ可能である必要がある。図９に示す光源ＬＳ１の場合、複数の領域ＤＡ２と重なる位置に、それぞれ導光板ＬＧＰと、複数の導光板ＬＧＰのそれぞれに接続された発光部ＥＭ１と、を有する。また、複数の導光板ＬＧＰは、プリズムシートＰＲＳを介して拡散板ＤＦＰに覆われている。
【００５８】
導光板ＬＧＰが可撓性のある材料で形成されている場合には、複数の導光板ＬＧＰに分割されず表示領域ＤＡ（図２参照）全体と重なる一枚の導光板ＬＧＰを用いても良い。図９に示す例の場合、導光板ＬＧＰは、複数枚（図９では２枚）に分割され、領域ＤＡ１と重なる位置には、導光板が配置されていない。このため、導光板ＬＧＰとして、アクリル樹脂やポリカーボネイト樹脂など、硬い材料からなるものを用いることができる。
【００５９】
プリズムシートＰＲＳおよび拡散板ＤＦＰは、導光板ＬＧＰと同様に、複数枚に分割されていても良いが、図９に示す例では、プリズムシートＰＲＳは、隣り合う領域ＤＡ２および領域ＤＡ２の間の領域ＤＡ１を覆うように配置されている。特に、拡散板ＤＦＰが領域ＤＡ１に配置されている場合、領域ＤＡ１における輝度ムラを低減できる。
【００６０】
図１０に示す光源ＬＳ２の場合、可撓性を備える基板３０上に搭載された複数の発光素子ＬＥＥ、および複数の発光素子を覆う拡散板ＤＦＰを有する。発光素子ＬＥＥとしては、発光ダイオードを用いることができる。発光ダイオードの素子は、ミニＬＥＤなど、小型化が進んでおり、折り曲げられる領域ＤＡ１に発光ダイオード素子が配置されていても、領域ＤＡ１を折り曲げることが可能である。
【００６１】
＜変形例３＞
次に、液晶表示装置以外のデバイスに適用した実施態様について説明する。図１１は、図４に対する他の変形例である表示装置の構成例を示す拡大断面図である。また、図１２は、図４に対する更に他の変形例である表示装置の構成例を示す拡大断面図である。
【００６２】
図１１に示す表示装置は、前面４０ｆを備える電気光学層４０と、電気光学層４０の前面４０ｆを覆う位相差板４１と、位相差板４１に対して、電気光学層４０の反対側にある複数の偏光板ＰＬＢ２と、平面視において複数の偏光板ＰＬＢ２の間にあり、かつ可撓性を備える偏光膜ＰＬＦ２と、を有する。平面視において、表示領域ＤＡは、領域ＤＡ１と、領域ＤＡ１に隣接した複数の領域ＤＡ２と、を有する。領域ＤＡ２は、領域ＤＡ１の両隣にある。領域ＤＡ１は、折り曲げ可能な領域である。複数の偏光板ＰＬＢ２は、複数の領域ＤＡ２と重なり、偏光膜ＰＬＦ２は、領域ＤＡ１と重なる。
【００６３】
図１１において、電気光学層４０は、例えば、表示領域に形成される画素数分の有機ＥＬ（electro-luminescence）により発光する有機発光ダイオード素子、あるいは、マイクロＬＥＤなどの無機発光ダイオード素子を含んでいる。これらの発光素子を含む電気光学層４０を用いる場合、図４や図８に示す光源ＬＳが不要になる。また、発光素子を含む電気光学層４０を用いる表示装置ＤＳＰ３の場合、位相差板４１および偏光板ＰＬＢ２とが電気光学層４０上に順に積層される。位相差板４１は、例えば１／４波長板である。表示装置ＤＳＰ３を折り曲げ可能にする場合、位相差板４１上に配置された偏光板ＰＬＢ２の部分に、図４の表示装置ＤＳＰ１や図８の表示装置ＤＳＰ２で説明した技術を適用することで、折り曲げ領域における表示品質の低下を抑制できる。
【００６４】
図１１に示す表示装置ＤＳＰ３は、上記した相違点を除き、図４に示す表示装置ＤＳＰ１または図８に示す表示装置ＤＳＰ２と同様である。例えば、偏光膜ＰＬＦ２の厚さＴＦ２は、偏光板ＰＬＢ２の厚さＴＢ２より薄い。また例えば、平面視において互いに隣り合う複数の偏光板ＰＬＢ２の離間距離は、図１１に示す複数の偏光板ＰＬＢ２のそれぞれの厚さＴＢ２より大きい。また、複数の偏光板ＰＬＢ２のそれぞれは、ヨウ素化合物を含有する高分子材料膜であるポリビニルアルコールフィルムを含む偏光層ＰＬ１と、偏光層ＰＬ１を挟むように配置された保護膜ＰＲＦと、を備える。一方、偏光膜ＰＬＦ２は、塗布型の偏光子であって、例えば、二色性色素を含む偏光子である。
【００６５】
また、図１２に示す表示装置ＤＳＰ４は、液晶層ＬＱにおける液晶分子の配向を制御することにより、可視光が透過する状態と反射する状態とを切り替えることができる表示装置である。表示装置ＤＳＰ４は、可撓性を備える基板１０と、基板１０に対向し、かつ、可撓性を備える基板２０と、基板１０と基板２０との間にある液晶層ＬＱと、を有する。また、表示装置ＤＳＰ４は、基板１０に対して、液晶層ＬＱの反対側にある複数の反射型偏光板ＰＬＲと、基板２０に対して、液晶層ＬＱの反対側にある複数の偏光板ＰＬＢ２と、平面視において複数の偏光板ＰＬＢ２の間にあり、かつ可撓性を備える偏光膜ＰＬＦ２と、を有する。平面視において、表示領域ＤＡは、領域ＤＡ１と、領域ＤＡ１に隣接した複数の領域ＤＡ２と、を有する。領域ＤＡ２は、領域ＤＡ１の両隣にある。領域ＤＡ１は、折り曲げ可能な領域である。複数の反射型偏光板ＰＬＲおよび複数の偏光板ＰＬＢ２は、複数の領域ＤＡ２と重なり、偏光膜ＰＬＦ２は、領域ＤＡ１と重なる。
【００６６】
反射型偏光板ＰＬＲは、偏光軸の光は透過し、その偏光軸と直行する方向の光は反射する特性を有している。表示装置ＤＳＰ４は、例えば、液晶層ＬＱを駆動する回路をオンにして、液晶層ＬＱに電界を印可すると、可視光を透過させる特性を有している。また、表示装置ＤＳＰ４は、液晶層ＬＱを駆動する回路をオフにして、液晶層ＬＱに電界を印可しない状態では、反射型偏光板において可視光を反射する特性を有している。図１２に示す例では、反射型偏光板ＰＬＲの反対側に配置される偏光子に、図４で説明した表示装置ＤＳＰ１と同様の構造を適用している。
【００６７】
また、単に反射と透過を単に切り替えて利用する場合には、それほど高い偏光度が要求されない。したがって、図１２に示す複数の偏光板ＰＬＢ２を偏光膜ＰＬＦ２に置き換えた、表示領域ＤＡの全体が塗布型の偏光膜ＰＬＦ２に覆われた構成にすることができる。この場合、デバイスの厚さを薄くすることができる。
【００６８】
なお、上記各実施例で示した偏光板ＰＬＢ１，２については、ここで示した偏光板の他に、視野角を補償するための光学フィルムを用いても良い。
【００６９】
本発明の思想の範疇において、当業者であれば、各種の変更例及び修正例に想到し得るものであり、それら変更例及び修正例についても本発明の範囲に属するものと了解される。例えば、前述の各実施形態に対して、当業者が適宜、構成要素の追加、削除若しくは設計変更を行ったもの、または、工程の追加、省略若しくは条件変更を行ったものも、本発明の要旨を備えている限り、本発明の範囲に含まれる。
【産業上の利用可能性】
【００７０】
本発明は、表示装置や表示装置が組み込まれた電子機器に利用可能である。
【符号の説明】
【００７１】
１０，２０，３０    基板
１０ｂ，２０ｂ    背面
１０ｆ，２０ｆ，４０ｆ    前面
１１，１２，１３，１４，１６，ＯＣ１    絶縁膜
１５    有機膜
４０    電気光学層
４１    位相差板
ＡＨＬ    粘着層
ＡＬ１，ＡＬ２    配向膜
ＢＭ    遮光膜
ＢＮＤ    シール材
ＣＤ    共通電極駆動回路
ＣＤＰ    導体パターン
ＣＥ    共通電極
ＣＦ    カラーフィルタ
ＤＡ    表示領域
ＤＡ１，ＤＡ２    領域
ＤＥ    ドレイン電極
ＤＦＰ    拡散板
ＤＳＰ１，ＤＳＰ２，ＤＳＰ３，ＤＳＰ４    表示装置
ＥＭ１    発光部
ＧＤ    走査線駆動回路
ＧＥ    ゲート電極
ＧＬ    走査線
Ｇｓｉ    走査信号
ＬＥＥ    発光素子
ＬＧＰ    導光板
ＬＱ    液晶層
ＬＳ，ＬＳ１，ＬＳ２    光源
ＰＥ    画素電極
ＰＦＲ    周辺領域
ＰＬ１    偏光層
ＰＬＢ１，ＰＬＢ２    偏光板
ＰＬＦ１，ＰＬＦ２    偏光膜
ＰＬＲ    反射型偏光板
ＰＲＦ    保護膜
ＰＲＳ    プリズムシート
ＰＸ    画素
ＳＣＲ    半導体領域
ＳＤ    信号線駆動回路
ＳＥ    ソース電極
ＳＬ    映像信号線
Ｓｐｉｃ    映像信号
ＴＢ１，ＴＢ２，ＴＦ１，ＴＦ２    厚さ
Ｔｒ１    トランジスタ
【図１】
2020056929.tif 000003
【図２】
2020056929.tif 000004
【図３】
2020056929.tif 000005
【図４】
2020056929.tif 000006
【図５】
2020056929.tif 000007
【図６】
2020056929.tif 000008
【図７】
2020056929.tif 000009
【図８】
2020056929.tif 000010
【図９】
2020056929.tif 000011
【図１０】
2020056929.tif 000012
【図１１】
2020056929.tif 000013
【図１２】
2020056929.tif 000014